(57)【要約】【課題】二波長レーザ光源から出射される二種類のレーザ光の光軸調整を容易にかつ、正確に行うことができる光ヘッド装置を提供すること。  【解決手段】二つの異なる波長のレーザ光が出射可能な二波長レーザ光源１０と、該二波長レーザ光源１０から出射される出射光Ｌの光記録ディスクＤからの戻り光ＬＲを受光する一つの受光素子２０とを備える光ヘッド装置において、前記受光素子２０が実装される受光素子用基板２２には、該受光素子２０の端子部２０１が固定されるランド２２１が形成され、該ランド２２１の幅寸法もしくは長さ寸法の少なくともいずれか一方が、前記受光素子２０の端子部２０１における前記ランド２２１との当接面２０１ａの幅寸法もしくは長さ寸法と略同一に形成されている光ヘッド装置とした。  【選択図】図４
2008293566.tif 000002
【特許請求の範囲】
【請求項１】
二つの異なる波長のレーザ光が出射可能な二波長レーザ光源と、該二波長レーザ光源から出射される出射光の光記録媒体からの戻り光を受光する一つの受光素子とを備える光ヘッド装置において、
前記受光素子が実装される基板には、該受光素子の端子部が固定されるランドが形成され、該ランドの幅寸法もしくは長さ寸法の少なくともいずれか一方が、前記受光素子の端子部における前記ランドとの当接面の幅寸法もしくは長さ寸法と略同一に形成されていることを特徴とする光ヘッド装置。
【請求項２】
請求項１に記載の光ヘッド装置において、前記受光素子が実装される基板には、該受光素子の一側および他側から突出して形成された複数の端子部がそれぞれ固定される複数のランドが形成され、該複数のランドうち、対角に配置された一対のランドの幅寸法もしくは長さ寸法の少なくともいずれか一方が、前記端子部における前記ランドとの当接面の幅寸法もしくは長さ寸法と略同一に形成されていることを特徴とする光ヘッド装置。
【請求項３】
二種のレーザ光が出射される二波長レーザ光源と、該二波長レーザ光源から出射された出射光の戻り光を受光する一つの受光素子と、該受光素子の一側から突出して形成された複数の端子部がそれぞれ固定される複数のランドが形成された基板とを備える光ヘッド装置において、
前記受光素子の一側に形成された複数の前記端子部のうち、二つの端子部の外側もしくは内側の間隔が、該二つの端子部に対応する前記ランドの外側の間隔もしくは内側の間隔と略同一に形成されていることを特徴とする光ヘッド装置。
【請求項４】
二種のレーザ光が出射される二波長レーザ光源と、該二波長レーザ光源から出射された出射光の戻り光を受光する一つの受光素子と、該受光素子の一側および他側から突出して形成された複数の端子部がそれぞれ固定される複数のランドが形成された基板とを備える光ヘッド装置において、
前記受光素子の一側に形成された一方の前記端子部の外側と、前記受光素子の他側に形成された他方の前記端子部の内側との間隔が、一方の前記端子部に対応する前記ランドの外側と、他方の前記端子部に対応する前記ランドの内側との間隔と略同一に形成されていることを特徴とする光ヘッド装置。
【請求項５】
請求項１ないし４のいずれかに記載の光ヘッド装置において、前記受光素子は、リフロー処理によって前記基板に半田により実装されていることを特徴とする光ヘッド装置。
【発明の詳細な説明】
【技術分野】
【０００１】
本発明は、光ヘッド装置に関し、更に詳しくは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光記録媒体の記録・再生を行う光ヘッド装置に関するものである。
【背景技術】
【０００２】
従来一般に、ＣＤやＤＶＤ等の光記録媒体の再生や記録を行う光記録再生装置等に使用される光ヘッド装置が知られている。この光ヘッド装置は、光源から出射されたレーザ光を光学系を介して光記録媒体上に照射し、その戻り光を受光素子が受光するよう構成される。図１３（ａ）に示されるように、この受光素子１００は、その端子部１０２がランド１０８が形成された受光素子用基板１０６に半田付けにより固定され、この状態で光ヘッド装置のフレームに固定されている。
【０００３】
ここで、ＣＤおよびＤＶＤの再生、記録等に対応したＣＤ／ＤＶＤ互換の光ヘッド装置には、波長の異なる二種類のレーザ光が必要となる。このような光ヘッド装置に好適に使用される光源として、ＤＶＤ用の発光素子と、ＣＤ用の発光素子とが単一チップ上に集積され、二種類の発光領域を有する半導体レーザ素子が搭載された二波長レーザ光源が知られている（例えば特許文献１参照。）。この二波長レーザ光源は、部品点数の削減や組立容易化によるコストダウンにつながるため、現在多くの光ヘッド装置に使用されている。
【０００４】
この二波長レーザ光源に対応するため、受光素子１００の受光面１０４には、ＣＤおよびＤＶＤからの戻り光を読み取るためのＣＤ用受光部１０４ａおよびＤＶＤ用受光部１０４ｂが形成されている。そして、光ヘッド装置の組立工程では、この受光部１０４ａおよび１０４ｂに、戻り光のスポット位置（ＣＤ用レーザ光の戻り光のスポット位置；ＳＰａ，ＤＶＤ用レーザ光の戻り光のスポット位置；ＳＰｂ）が一致するよう調節する、いわゆる光軸調整がなされる。この光軸調整に際し、例えば、図１３（ｂ）に示される場合のように、ＣＤ用レーザ光の光軸ずれ量と、ＤＶＤ用レーザ光の光軸ずれ量が同じである場合には、受光素子１００や二波長レーザ光源をＸ軸、Ｙ軸に移動調整することで、それぞれのスポット位置を受光部１０４ａ，１０４ｂに合わせることができる。
【０００５】
【特許文献１】特開２００７−３５２０４号公報
【発明の開示】
【発明が解決しようとする課題】
【０００６】
しかしながら、受光素子１００は、受光素子用基板１０６に形成されたランド１０８に固定されるため、受光素子用基板１０６に対する固定位置が一定でない。つまり、図１４（ａ）に示されるように、端子部１０２の接地面の大きさに対して、受光素子基板１０６上に形成されたランド１０８が大きいため、受光素子用基板１０６（ランド１０８）に対して受光素子１００が傾いて固定されてしまうことがあった。
【０００７】
このように固定された場合、図１４（ｂ）に示されるように、ＣＤ用レーザ光のスポット位置ＳＰａの受光部１０４ａからの光軸ずれ量と、ＤＶＤ用レーザ光のスポット位置ＳＰｂの受光部１０４ｂからの光軸ずれ量が異なるものとなる。したがって、二次元的な調整（Ｘ軸、Ｙ軸方向の調整）のみでは、ＣＤおよびＤＶＤそれぞれの戻り光のスポット位置ＳＰａおよびＳＰｂと受光部１０４ａおよび１０４ｂを合わせることができない。その結果、光軸調整に時間が掛かり、製造コストの上昇を招くだけでなく、戻り光のスポット位置を正確に受光部に合わせることができず、光ヘッド装置の信頼性が大きく低下してしまうという問題があった。
【０００８】
本発明が解決しようとする課題は、二波長レーザ光源から出射される二種類のレーザ光の光軸調整を容易にかつ、正確に行うことができる光ヘッド装置を提供することにある。
【課題を解決するための手段】
【０００９】
上記課題を解決するために本発明に係る光ヘッド装置は、請求項１に記載のように、二つの異なる波長のレーザ光が出射可能な二波長レーザ光源と、該二波長レーザ光源から出射される出射光の光記録媒体からの戻り光を受光する一つの受光素子とを備える光ヘッド装置において、前記受光素子が実装される基板には、該受光素子の端子部が固定されるランドが形成され、該ランドの幅寸法もしくは長さ寸法の少なくともいずれか一方が、前記受光素子の端子部における前記ランドとの当接面の幅寸法もしくは長さ寸法と略同一に形成されていることを要旨とするものである。ここで、幅寸法とは、前記端子部の突出方向に対して垂直な方向の寸法をいい、長さ寸法とは、前記端子部の突出方向に対して平行な方向の寸法をいう。
【００１０】
このように構成することにより、受光素子の端子部は、ランドとの当接面の幅寸法あるいは長さ寸法がランドと略同一に形成されていることにより、回転方向の動きが規制される。つまり、受光素子自体の回転方向への動きが規制されることとなり、受光素子が基板（ランド）に対して傾いて取り付けられることが防止される。その結果、光軸調整を光軸に対して回転方向に行う必要がないため、光軸調整を迅速かつ正確に行うことができ、光ヘッド装置のコストダウン、信頼性向上につながる。
【００１１】
この場合、請求項２に記載のように、前記受光素子が実装される基板には、該受光素子の一側および他側から突出して形成された複数の端子部がそれぞれ固定される複数のランドが形成され、該複数のランドうち、対角に配置された一対のランドの幅寸法もしくは長さ寸法の少なくともいずれか一方が、前記端子部における前記ランドとの当接面の幅寸法もしくは長さ寸法と略同一に形成されていればよい。このように構成すれば、受光素子に端子部が複数形成されている場合であっても、対角位置で受光素子の回転方向への動きが規制されるため、受光素子がランド（基板）に対して傾いて取り付けられることをより確実に防止することができる。これにより、光軸調整の容易化、迅速化につながると共に、光ヘッド装置の信頼性がさらに増す。
【００１２】
また、請求項３に記載の本発明に係る光ヘッド装置は、二種のレーザ光が出射される二波長レーザ光源と、該二波長レーザ光源から出射された出射光の戻り光を受光する一つの受光素子と、該受光素子の一側から突出して形成された複数の端子部がそれぞれ固定される複数のランドが形成された基板とを備える光ヘッド装置において、前記受光素子の一側に形成された複数の前記端子部のうち、二つの端子部の外側もしくは内側の間隔が、該二つの端子部に対応する前記ランドの外側の間隔もしくは内側の間隔と略同一に形成されていることを要旨とするものである。
【００１３】
また、請求項４に記載の本発明に係る光ヘッド装置は、二種のレーザ光が出射される二波長レーザ光源と、該二波長レーザ光源から出射された出射光の戻り光を受光する一つの受光素子と、該受光素子の一側および他側から突出して形成された複数の端子部がそれぞれ固定される複数のランドが形成された基板とを備える光ヘッド装置において、前記受光素子の一側に形成された一方の前記端子部の外側と、前記受光素子の他側に形成された他方の前記端子部の内側との間隔が、一方の前記端子部に対応する前記ランドの外側と、他方の前記端子部に対応する前記ランドの内側との間隔と略同一に形成されていることを要旨とするものである。
【００１４】
この請求項３あるいは請求項４のような構成とすることでも、受光素子は、その端子部およびランドにより回転方向の動きが規制される。そのため、受光素子がランド（基板）に対して傾いて取り付けられることを防止することができ、光ヘッド装置の光軸調整を容易、かつ迅速に行うことができる。
【００１５】
また、請求項５に記載のように、上記受光素子は、リフロー処理によって前記基板に半田により実装されていることが好ましい。これにより、ランド上の表面張力が均等に受光素子の端子部に働き、受光素子が傾いて固定されることを防止することができる。
【発明の効果】
【００１６】
本発明に係る光ヘッド装置によれば、二波長レーザ光源から出射される二種のレーザ光を受光する受光素子は、その端子部および受光素子が固定される基板により回転方向の動きが規制される。これにより、受光素子が基板（ランド）に対して傾いて固定されることがなくなる。その結果、光軸調整を光軸に対して回転方向に行う必要がなくなり、光軸調整を迅速かつ正確に行うことができ、光ヘッド装置の製造コストを抑えると共に、高い信頼性を有した高品質の光ヘッド装置とすることができる。
【発明を実施するための最良の形態】
【００１７】
以下、本発明の実施の形態について図面を参照しつつ詳細に説明する。
【００１８】
図１は、本発明の第一の実施形態に係るＣＤおよびＤＶＤの再生・記録に対応した（いわゆるＣＤ／ＤＶＤデュアルライタードライブ）光ヘッド装置１の光学系の一例を模式的に示した概略構成図であり、図２は、この光ヘッド装置１の外観斜視図である。また、図３は、この光ヘッド装置１に搭載された受光素子２０の外観斜視図である。
【００１９】
光ヘッド装置１は、光源としての二波長レーザ光源１０と、この二波長レーザ光源１０から出射された出射光Ｌ（後述するＣＤ用レーザ光の出射光をＬ１、ＤＶＤ用レーザ光の出射光をＬ２とする。）を対物レンズ１８などを介して光記録ディスクＤに向かい集束させる往路、および前記光記録ディスクＤで反射した戻り光ＬＲ（後述するＣＤ用レーザ光の戻り光をＬＲ１、ＤＶＤ用レーザ光の戻り光をＬＲ２とする。）が受光素子２０に向かう復路を構成する光学系Ｋと、戻り光ＬＲを受光する信号検出用の受光素子２０とを備える。これらの構成部品がフレーム３０に固定されて、光ヘッド装置１が構成される。
【００２０】
光源である二波長レーザ光源１０は、単一チップ上に異なる発光領域を持つ二つの半導体レーザ素子が集積されてなるものである。この二波長レーザ光源１０からＣＤに対応した近赤外光域（約７８０ｎｍの帯域）の出射光Ｌ１、ＤＶＤに対応した赤色光域（約６５０ｎｍの帯域）の出射光Ｌ２のいずれか一方が、図示されない制御装置により選択されて出射されることとなる。
【００２１】
光学系Ｋは、互いに直交する座標軸をＸ軸、Ｙ軸、Ｚ軸（図１中に矢印Ｘ、Ｙ、Ｚで示す）としたときに、二波長レーザ光源１０からＹ軸方向に出射された出射光ＬをＸ軸方向に反射する光路分離素子としてのハーフミラー１２と、ハーフミラー１２からの出射光Ｌを平行光にするコリメートレンズ１４と、この平行光をＺ軸方向に立ち上げる全反射ミラー１６と、平行光を光記録ディスクＤの記録面に集束させる対物レンズ１８等から構成されている。そして、出射光Ｌは、光記録ディスクＤの記録面で反射された後、戻り光ＬＲとして光路を逆に辿り、ハーフミラー１２を透過して受光素子２０に受光される。
【００２２】
受光素子２０は、ＣＤあるいはＤＶＤに記録された音声、映像信号等を得るため、戻り光ＬＲの受光量を算出するための素子である。図３に示されるように、戻り光ＬＲを受光する受光面２４には、ＣＤからの戻り光ＬＲ１を受光するＣＤ用受光部２４１、ＤＶＤからの戻り光ＬＲ２を受光するＤＶＤ用受光部２４２が形成されている。そして、その両側面からは、電気に接続するための複数の端子部２０１が形成されている。この端子部２０１の接地面２０１ａを後述する受光素子用基板２２のランド２２１と当接させて、受光素子２０は半田により固定される。
【００２３】
前述したように、この二波長レーザ光源１０、光学系Ｋを構成する光学素子、および受光素子２０は、樹脂の一体成形品であるフレーム３０に固定されている。フレーム３０には、図示されない光記録ディスクＤの駆動装置のガイド軸が挿通される第一の軸受部３０１、および第二の軸受部３０２が形成されている。
【００２４】
二波長レーザ光源１０は、その接続端子部１０１を外側に向けてフレーム３０の側面に固定されている。また、全反射ミラー１６は、フレーム３０のほぼ中央に形成された枠状開口部３２に固定され、第一の天板３４に覆われている。さらに、対物レンズ６０は、レンズ駆動部３１に固定されている。第一の天板３４には、この対物レンズ１８を露出させるための開口３４１が形成され、出射光Ｌはこの開口３４１を通って光記録ディスクＤに到達する。
【００２５】
一方、受光素子２０は、受光素子用基板２２に実装されて、この受光素子用基板２２を外側に向けてフレーム３０に取り付けられている。受光素子２０は、その取付位置の調整後（光軸調整後）、最終的には接着剤等により固定されるが、取付位置の調整前には、フレーム３０を覆う第二の天板３６から突出した屈曲片３６１により、フレーム３０に押圧されて仮固定される。また、ハーフミラー１２およびコリメートレンズ１４は、この第二の天板３６に覆われて、光軸上に取り付けられている。
【００２６】
受光素子２０の受光素子用基板２２への実装について図４を用いて説明する。図４は、受光素子２０が受光素子用基板２２に実装された状態を受光面２４側から見た平面図である。
【００２７】
図４に示されるように、受光素子２０は、その端子部２０１が受光素子用基板２２上に形成されたランド２２１上に半田付けされることで固定されている。ここで、本実施形態においては、受光素子２０の各端子部２０１の接地面（ランド２２１との当接面）２０１ａの形状は、ランド２２１と略同一形状に形成されている。
【００２８】
この受光素子２０の受光素子用基板２２への実装は、リフロー処理によりなされる。具体的には、まず、受光素子用基板２２の半田付け部分、すなわちランド２２１に、クリーム半田が印刷される。この印刷方法としては、スクリーン印刷等が例示できる。  
【００２９】
この後、ランド２２１上に受光素子２０が載置され、この状態でリフロー装置に入れて全体を加熱する。すると、ランド２２１上のクリーム半田が溶解して、ランド２２１上に端子部２０１が半田付けされる。このとき、クリーム半田が溶解したときに発生する表面張力により、端子部２０１は、それぞれがランド２２１の中央に引き寄せられる。しかも、本実施形態では、端子部２０１の接地面２０１ａの形状が、ランド２２１と略同一形状に形成されているため、受光素子２０の回転方向への動きがランド２２１により規制される。換言すると、端子部２０１は、半田の表面張力が働くランド２２１上に必ず位置することとなるので、受光素子２０は、端子部２０１の接地面２０１ａの外周がランド２２１の外周と一致する位置で固定される。つまり、接地面２０１ａとランド２２１の形状を略同一とすることで、受光素子用基板２２（ランド２２１）に対して受光素子２０が傾いて半田付けされることを防止することができる。
【００３０】
このように、受光素子２０は、受光素子用基板２２に実装されて、前述のように光ヘッド装置１のフレーム３０にまず仮固定される。そして、受光面２４における戻り光ＬＲ１およびＬＲ２のスポット位置が、ＣＤ用受光部２４１およびＤＶＤ受光部２４２と一致するように取付位置の調整（光軸調整）がなされて固定される。以下、この光軸調整を行うための光軸調整装置およびこれを用いた光軸調整方法について説明する。
【００３１】
図５は、受光素子２０の光軸調整装置４０の構成を説明するための概略図である。この光軸調整装置４０は、基台４２に、ワーク固定部５０、取付位置調整部６０、ディスク載置部７０が取り付けられて構成されている。
【００３２】
ワーク固定部５０は、基台４２上に立設された支軸５４と、この支軸５４の側面から突出して設けられたフレーム取付軸５６ａ，５６ｂとから構成されている。
【００３３】
また、取付位置調整部６０は、基台４２上に立設された支軸６２に、屈曲形成された受光素子保持部６４が取り付けられて構成されている。この受光素子保持部６４の先端には二股に分かれた挾持部６６が設けられており、ネジ部によりその幅寸法Ｄを変えられるようになっている。また、受光素子保持部６４は、支軸６２上を図中のＸ、Ｙ方向に移動可能に取り付けられている。
【００３４】
また、ディスク載置部７０は、光軸調整のためのディスクＤｆが載置される個所である。なお、受光素子２０の取付位置調整には、実際に使用されるＣＤやＤＶＤに代えて、ＣＤ用疑似ディスクおよびＤＶＤ用疑似ディスクを使用する。このような光軸調整では、実際のディスクはその径が大きすぎるため、受光素子２０の位置調整に際して障害となるからである。したがって、この疑似ディスクは、出射光Ｌを反射する必要最小限の大きさに形成されていればよい。この光軸調整装置４０のディスク載置部７０にＣＤ用疑似ディスクが搭載されたものがＣＤ光軸調整装置であり、ＤＶＤディスクが搭載されたものがＤＶＤ光軸調整装置である。
【００３５】
このように構成される光軸調整装置４０（ＣＤ光軸調整装置、ＤＶＤ光軸調整装置）を用いた受光素子２０の取付位置の調整方法を以下説明する。
【００３６】
まず、ワークである光ヘッド装置１は、フレーム３０の第一の軸受部３０１および第二の軸受部３０２のそれぞれにフレーム取付軸５６ａ，５６ｂが挿通されて、ナットＮ等によりＣＤ光軸調整装置に固定される。この状態で受光素子保持部６４の挾持部６６に受光素子２０を挟み込む。そして、二波長レーザ光源１０からＣＤ用の出射光Ｌ１を出力し、ＣＤ用疑似ディスクからの戻り光ＬＲ１のスポット位置を読みながら、受光素子２０をＸ軸およびＹ軸方向に動かし、その取付位置調整を行う。具体的には、図６（ａ）に示されるように、受光素子２０の受光面２４における戻り光ＬＲ１のスポット位置ＳＰ１が、ＣＤ用受光部２４１と一致するように位置調整する。
【００３７】
この戻り光ＬＲ１の光軸の調整後、光ヘッド装置１をＤＶＤ光軸調整装置に固定する。そして、二波長レーザ光源１０からＤＶＤ用の出射光Ｌ２を出力し、疑似ＤＶＤディスクからの戻り光ＬＲ２のスポット位置がＤＶＤ用受光部２４２と一致しているかを確認し（図６（ｂ））、光軸調整は終了する。
【００３８】
本実施形態においては、受光素子用基板２２のランド２２１の形状を、受光素子２０の端子部２０１における接地面２０１ａの形状と略同一とすることで、受光素子用基板２２に対して受光素子２０が傾いて半田付けされることを抑制している。したがって、上記受光素子２０の位置調整前は、戻り光ＬＲ１と戻り光ＬＲ２の受光面２４におけるスポット位置ＳＰ１およびＳＰ２のそれぞれの受光部２４１および２４２からのずれ量は同一になる。つまり、ＣＤからの戻り光ＬＲ１のスポット位置がＣＤ用受光部２４１と一致するよう光軸調整を行えば、部品の製造誤差等が大きくない限り、ＤＶＤからの戻り光ＬＲ２のスポット位置も必然的にＤＶＤ用受光部２４２と一致することとなる。そのため、本実施形態に係る光ヘッド装置１によれば、ＤＶＤ用レーザ光の戻り光ＬＲ２の光軸調整は必要なく、ＤＶＤ用受光部２４２と一致していることを確認するのみでよい。また、戻り光ＬＲ１およびＬＲ２のスポット位置が回転方向にずれる（例えば、図１４（ｂ）のような状態が挙げられる。）ことがないので、受光素子２０や、二波長レーザ光源１０等を回転させて光軸調整を行う必要もなく、ＸおよびＹ軸方向について二次元的な調整を行うのみでよい。
【００３９】
なお、この光軸調整方法は、ＣＤの戻り光ＬＲ１の光軸調整を行った後、ＤＶＤの戻り光ＬＲ２のスポット位置がＤＶＤ用受光部２４２と一致しているかどうかを確認するようにした方法であるが、その逆、つまり、ＤＶＤの戻り光ＬＲ２の光軸調整を行った後、ＣＤの戻り光ＬＲ１のスポット位置がＣＤ用受光部２４１と一致しているかどうかを確認するようにしてもよい。
【００４０】
（他の実施形態）
以下、本発明の他の実施形態に係る光ヘッド装置を説明する。なお、以下の説明において、上記第一の実施形態と同様の構成部品は、同じ符号を付し、その説明を省略する。
【００４１】
図７は、本発明の第二の実施形態に係る光ヘッド装置の受光素子２０が受光素子用基板２２に実装された状態を、受光面２４側から見た平面図である。図７から分かるように、受光素子基板２２に形成された複数のランドのうち、受光素子２０の対角位置に形成された一対のランド２２１ａが、端子部２０１の接地面２０１ａと略同一形状に形成されている。その他のランド２２２は、端子部２０１の接地面２０１ａよりも大きく形成されている。
【００４２】
このように構成することで、第一の実施形態と同様、リフロー処理において、クリーム半田が溶解したときに発生する表面張力により、端子部２０１は、それぞれがランドの中央に引き寄せられる。そして、本実施形態では、受光素子２０の対角に位置する一対のランド２２１ａが端子部２０１の接地面２０１ａの形状と略同一形状に形成されているため、受光素子２０の回転方向への動きがこの一対のランド２２１ａにより規制される。そして、受光素子２０は、端子部２０１の接地面２０１ａの外周がランド２２１ａの外周と一致する位置で固定されることとなり、受光素子用基板２２（ランド２２１ａ）に対して受光素子２０が傾いて半田付けされることが防止される。
【００４３】
なお、上記第一および第二の実施形態においては、所定のランド２２１が、端子部２０１の接地面２０１ａと略同一形状に形成されていることを説明したが、このような形状に限られるものではない。すなわち、受光素子２０の傾きを防止するため、所定のランド２２１の幅方向の寸法、あるいは長さ方向の寸法のいずれか一方を端子部２０１の接地面２０１ａと略同一に形成してもよい。例えば、図８（ａ）のように、ランド２２１の幅方向の寸法Ｄｗを端子部２０１の接地面２０１ａと略同一にしてもよいし、図８（ｂ）のように長さ方向の寸法Ｄｌを端子部２０１の接地面２０１ａと略同一にしてもよい。
【００４４】
図９は、本発明の第三の実施形態に係る光ヘッド装置の受光素子２０が受光素子用基板２２に実装された状態を、受光面２４側から見た平面図である。
【００４５】
この第三の実施形態では、受光素子基板２２に形成された複数のランドのうち、受光素子２０の一側に形成された所定の二つのランド２２１ｂ，２２１ｃの形状が他のランド２２２と異なる。具体的には、図９（ａ）に示されるように、端子部２０１の突出方向と平行なランド２２１ｂの外側の辺２２１１と，ランド２２１ｃの外側の辺２２１２の間の寸法Ｄ１が、このランド２２１ｂ，２２１ｃと当接する接地面２０１ａの外側の間隔Ｄ２と略同一となるように形成されている。あるいは、図９（ｂ）に示されるように、ランド２２１ｂの内側の辺２２１３と，ランド２２１ｃの内側の辺２２１４の間の寸法Ｄ１が、このランド２２１ｂ，２２１ｃと当接する接地面２０１ａの内側の間隔Ｄ２と略同一となるように形成されている。このように構成することで、ランド２２１ｂ，２２１ｃに載置された端子部２０１が、ランド２２１ｂ，２２１ｃにより回転方向の動きが規制されるため、上記第一および第二の実施形態と同様、受光素子２０の回転方向への動きが規制され、受光素子２０が受光素子用基板２２に対して傾いて固定されるのが防止される。
【００４６】
また、図１０は、本発明の第四の実施形態に係る光ヘッド装置の受光素子２０が受光素子用基板２２に実装された状態を、受光面２４側から見た平面図である。
【００４７】
この第四の実施形態では、受光素子基板２２に形成された複数のランドのうち、受光素子２０の一側に形成された一のランド２２１ｄ、および受光素子２０の他側に形成された一のランド２２１ｅの形状が他のランド２２２と異なる。具体的には、端子部２０１の突出方向と平行なランド２２１ｄの内側の辺２２１５と，ランド２２１ｅの外側の辺２２１６の間の寸法Ｄ５が、このランド２２１ｄ，２２１ｅと当接する端子部２０１ａの内側の辺と外側の辺の間隔Ｄ６と略同一になるように形成されている。このように構成することで、ランド２２１ｄ，２２１ｅに載置された端子部２０１がランド２２１ｅ，２２１ｄにより回転方向の動きが規制されるため、受光素子２０の回転方向への動きが規制され、受光素子２０が受光素子用基板２２に対して傾いて固定されるのが防止される。
【００４８】
また、図１１は、本発明の第五の実施形態に係る光ヘッド装置５の受光素子２０が受光素子用基板２２に実装された状態を、受光面２４側から見た平面図である。
【００４９】
この第五の実施形態では、受光素子基板２２に形成された複数のランドのうち、受光素子２０の一側に形成された一のランド２２１ｆ、および受光素子２０の他側に形成された一のランド２２１ｇの形状が他のランド２２２と異なる。具体的には、図１１（ａ）に示されるように、端子部２０１の突出方向に垂直なランド２２１ｆの外側の辺２２１７と，ランド２２１ｇの外側の辺２２１８の間の寸法Ｄ７が、このランド２２１ｆ，２２１ｇと当接する接地面２０１ａの外側の間隔Ｄ８と略同一になるように形成されている。あるいは、図１１（ｂ）に示されるように、端子部２０１の突出方向に垂直なランド２２１ｆの内側の辺２２１９と，ランド２２１ｇの内側の辺２２２０の間の寸法Ｄ９が、このランド２２１ｆ，２２１ｇと当接する接地面２０１ａの内側の間隔Ｄ１０と略同一になるように形成されている。このように構成することで、ランド２２１ｆ，２２１ｇに載置された端子部２０１がランド２２１ｆ，２２１ｇにより回転方向の動きが規制されるため、受光素子２０の回転方向への動きが規制され、受光素子２０が受光素子用基板２２に対して傾いて固定されるのが防止される。なお、このランド２２１ｆ、２２１ｇは、図１１のように必ずしも対向する位置にある必要はなく、例えば、受光素子２０の対角位置にあってもよい。
【００５０】
このように、本発明に係る第一ないし第五の実施形態によれば、受光素子用基板２２に形成される複数のランドのうち、全部あるいは一部のランド形状を変化させることによって、受光素子２０が受光素子用基板２２に対して傾いて固定されるのが防止される。したがって、受光素子２０の取付位置調整に際し、受光素子２０の回転方向の位置調整は不要となる。また、ＣＤもしくはＤＶＤ用レーザ光のいずれか一方の戻り光ＬＲについて二次元的に光軸調整を行えばよく、他方の戻り光ＬＲの光軸調整は不要となる。
【００５１】
なお、上記第一ないし第五の実施形態で説明したランド形状は、あくまで代表的なものを例示したものである。したがって、ランド形状により、受光素子２０の回転方向の動きが規制されるものであれば、その他の形状であってもよい。
【００５２】
（本実施形態の効果）
このように、本実施形態に係る光ヘッド装置によれば、受光素子２０が実装される受光素子用基板２２には、受光素子２０の端子部２０１が固定されるランド２２１が形成され、このランド２２１の幅寸法もしくは長さ寸法の少なくともいずれか一方が、受光素子２０の端子部２０１におけるランド２２１との当接面２０１ａの幅寸法もしくは長さ寸法と略同一に形成されている。そのため、受光素子２０の端子部２０１は、ランド２２１により回転方向の動きが規制される。つまり、受光素子２０自体の回転方向への動きが規制されることとなり、受光素子２０が受光素子用基板２２に対して傾いて取り付けられることを防止する。その結果、受光素子２０の受光面２４において、光軸調整を光軸に対して回転方向に行う必要がない（Ｘ、Ｙ軸方向にのみ行えばよい）ため、光軸調整を迅速かつ確実に行うことができ、光ヘッド装置のコストダウン、信頼性向上につながる。
【００５３】
また、第二の実施形態に係る光ヘッド装置のように、両側面に複数の端子部２０１が形成された受光素子２０の場合に、その対角線上に位置する二つのランド２２１の幅寸法もしくは長さ寸法の少なくともいずれか一方が、受光素子２０の端子部２０１におけるランド２２１との当接面２０１ａの幅寸法もしくは長さ寸法と略同一に形成されておれば、受光素子２０が受光素子用基板２２に対して傾いて取り付けられることを確実に防止することができる。
【００５４】
さらに、第三ないし第五の実施形態に係る光ヘッド装置によっても、受光素子用基板２２上のランド形状により、受光素子２０が受光素子用基板２２に対して傾いて半田固定されてしまうことが防止される。これにより、光軸調整の容易化、迅速化に大きく寄与することとなる。
【００５５】
さらに、受光素子２０の受光素子用基板２２への実装（半田固定）は、リフロー処理によりなされるため、ランド２２１上の表面張力が均等に端子部２０１に働き、受光素子２０が傾いて固定されることがほとんど無くなる。
【００５６】
以上、本発明の実施の形態について詳細に説明したが、本発明は上記実施の形態に何ら限定されるものではなく、本発明の要旨を逸脱しない範囲で種々の改変が可能である。
【００５７】
例えば、本実施形態に係る光ヘッド装置は、ＣＤおよびＤＶＤの再生、記録の双方に対応した、いわゆるＣＤ／ＤＶＤデュアルライタードライブに使用できるものであることを説明したが、再生、記録の対象となるディスクはＣＤあるいはＤＶＤに限られるものではない。
【００５８】
また、本発明の技術的思想は、ＣＤあるいはＤＶＤの少なくとも一方に、トラッキングの安定性を高めることを目的とした、いわゆる「３ビーム法」を採用した光ヘッド装置であっても適用可能である。例えば、図１２に示すように、ＣＤ用受光部２４１がメインビームを受光するメイン受光部２４１ａ、および二つのサブ受光部２４１ｂ，２４１ｃとからなる受光素子２０ａを搭載した光ヘッド装置であっても、サブビームがないものとして上記実施形態と同様の光軸調整を行えば、同時にサブビームの光軸調整も完了することとなる。
【図面の簡単な説明】
【００５９】
【図１】本発明の実施形態に係る光ヘッド装置の光学系の一例を模式的に示した概略構成図である。
【図２】本発明の実施形態に係る光ヘッド装置の外観斜視図である。
【図３】図１に示した光ヘッド装置に搭載された受光素子の外観斜視図である。
【図４】受光素子が受光素子用基板に実装された状態を受光面側から見た平面図である。
【図５】光軸調整装置の構成を説明するための概略図である。
【図６】図６（ａ）は、受光素子の受光面におけるＣＤ用レーザ光の戻り光のスポット位置をＣＤ用受光部に一致させた状態を示した平面図であり、図６（ｂ）は、受光素子の受光面におけるＤＶＤ用レーザ光の戻り光のスポット位置がＤＶＤ用受光部に一致している状態を示した平面図である。
【図７】本発明の第二の実施形態に係る光ヘッド装置の受光素子が受光素子用基板に実装された状態を受光面側から見た平面図である。
【図８】図８（ａ）は、ランドの幅方向の寸法を端子部の接地面と略同一にした場合の一例を示す平面図であり、図８（ｂ）は、ランドの長さ方向の寸法を端子部の接地面と略同一にした場合の一例を示す平面図である。
【図９】本発明の第三の実施形態に係る光ヘッド装置の受光素子が受光素子用基板に実装された状態を受光面側から見た平面図である。
【図１０】本発明の第四の実施形態に係る光ヘッド装置の受光素子が受光素子用基板に実装された状態を受光面側から見た平面図である。
【図１１】本発明の第五の実施形態に係る光ヘッド装置の受光素子が受光素子用基板に実装された状態を受光面側から見た平面図である。
【図１２】いわゆる「３ビーム法」を採用した光ヘッド装置の受光素子を受光面側から見た平面図である。
【図１３】図１３（ａ）は、光ヘッド装置に搭載される受光素子が受光素子用基板に固定された状態を説明するための平面図であり、図１３（ｂ）は、ＣＤおよびＤＶＤ用レーザ光の光軸ずれ量が同じである状態を示した平面図である。
【図１４】図１４（ａ）は、受光素子用基板（ランド）に対して受光素子が傾いて固定された状態を示した平面図であり、図１４（ｂ）は、ＣＤおよびＤＶＤ用レーザ光の光軸ずれ量が異なる状態を示した平面図である。
【符号の説明】
【００６０】
１                光ヘッド装置
１０              二波長レーザ光源
２０              受光素子
２０１            端子部
２０１ａ          接地面
２２              受光素子用基板
２４              受光面
２４１            ＣＤ用受光部
２４２            ＤＶＤ用受光部
２２１            ランド
Ｄ                光記録ディスク
Ｋ                光学系  
【図１】
2008293566.tif 000003
【図２】
2008293566.tif 000004
【図３】
2008293566.tif 000005
【図４】
2008293566.tif 000006
【図５】
2008293566.tif 000007
【図６】
2008293566.tif 000008
【図７】
2008293566.tif 000009
【図８】
2008293566.tif 000010
【図９】
2008293566.tif 000011
【図１０】
2008293566.tif 000012
【図１１】
2008293566.tif 000013
【図１２】
2008293566.tif 000014
【図１３】
2008293566.tif 000015
【図１４】
2008293566.tif 000016